(57)【要約】【課題】従来構成に比べて電池寿命を延ばすことができるリモコン送信器を提供する。【解決手段】電池ＢＴの出力端間には、コレクタ−エミッタが通信用ＬＥＤ１２と直列に接続されたトランジスタＴｒ１と、電池ＢＴの出力電圧を入力として定電圧を出力するレギュレータ２１とが接続されている。制御部１９からの制御信号Ｖｃに応じてトランジスタＴｒ１に流すベース電流をオンオフすることにより通信用ＬＥＤ１２を点滅させる駆動回路２０は、制御部１９からの制御信号Ｖｃを受けてオンオフするスイッチング素子Ｑ１と、レギュレータ２１の出力端間にスイッチング素子Ｑ１と共に直列に接続された一対の分圧抵抗Ｒ２，Ｒ３とを有し、スイッチング素子Ｑ１のオン時にはトランジスタＴｒ１に一定値のベース電流を流すことにより通信用ＬＥＤ１２に定電流を流すように、一対の分圧抵抗Ｒ２，Ｒ３の接続点がトランジスタＴｒ１のベースに接続されている。【選択図】図１
2008109515.tif 000002
【特許請求の範囲】
【請求項１】
電池の出力電圧を電源として点滅することにより光を伝送媒体とするリモコン信号を送信する通信用発光ダイオードと、通信用発光ダイオードを点滅させるタイミングを制御する制御信号を出力することにより通信用発光ダイオードから前記リモコン信号を送信させる集積回路からなる制御部と、電池の出力端間においてコレクタ−エミッタが通信用発光ダイオードと直列に接続されたトランジスタと、電池の出力電圧を入力として定電圧を出力し制御部に電力供給するレギュレータと、制御部からの制御信号に応じてトランジスタに流すベース電流をオンオフすることにより通信用発光ダイオードを点滅させる駆動回路とを備え、駆動回路は、制御部からの制御信号を受けてオンオフするスイッチング素子と、レギュレータの出力端間にスイッチング素子と共に直列に接続された一対の分圧抵抗とを有し、スイッチング素子のオン時にはトランジスタに一定値のベース電流を流すことにより通信用発光ダイオードに定電流を流すように、一対の分圧抵抗の接続点がトランジスタのベースに接続されていることを特徴とするリモコン送信器。
【請求項２】
前記レギュレータの出力端間に接続されレギュレータの出力電圧を平滑する平滑用コンデンサを備えることを特徴とする請求項１記載のリモコン送信器。
【請求項３】
電池の出力電圧を電源として点滅することにより光を伝送媒体とするリモコン信号を送信する通信用発光ダイオードと、通信用発光ダイオードを点滅させるタイミングを制御する制御信号を出力することにより通信用発光ダイオードから前記リモコン信号を送信させる集積回路からなる制御部と、電池の出力端間において通信用発光ダイオードと直列に接続され、制御部からの制御信号に応じてオンオフする第１のスイッチ要素と、電池と共に通信用発光ダイオードに電力供給する補助用コンデンサと、電池の出力端間において補助用コンデンサと直列に接続され、補助用コンデンサの充電期間および通信用発光ダイオードでの前記リモコン信号の送信期間以外はオフとなる第２のスイッチ要素とを備えることを特徴とするリモコン送信器。
【請求項４】
前記電池の出力電圧を入力として定電圧を出力し前記制御部に電力供給するレギュレータと、レギュレータの出力端間において前記第２のスイッチ要素と直列に接続され、第２のスイッチ要素のオン時にレギュレータの出力電圧を平滑する平滑用コンデンサとを備えることを特徴とする請求項３記載のリモコン送信器。
【発明の詳細な説明】
【技術分野】
【０００１】
本発明は、電池を電源とし、たとえば赤外線などの光を伝送媒体とするリモコン信号を送信するリモコン送信器に関するものである。
【背景技術】
【０００２】
従来から、この種のリモコン送信器１として、図１２に示すように、光を伝送媒体とするリモコン信号を送信する通信用発光ダイオード（ＬＥＤ）１２を有した発光部１３を備え、集積回路（たとえばマイコン）からなり、通信用ＬＥＤ１２を点滅させるタイミングを制御する制御信号Ｖｃを出力する制御部１９が設けられたものが提供されている。このリモコン送信器１は、電池ＢＴの出力端間においてコレクタ−エミッタが通信用ＬＥＤ１２と直列に接続されたトランジスタＴｒ１（第１のスイッチ要素）を備え、制御部１９からの制御信号ＶｃでトランジスタＴｒ１をオンオフさせることにより、発光部１３への電池ＢＴの電圧出力をオンオフして通信用ＬＥＤ１２からリモコン信号を送信させる。図１２の例では、発光部１３に通信用ＬＥＤ１２が複数個（３個）設けられ、電池ＢＴの出力端間において各通信用ＬＥＤ１２と直列に減流用抵抗Ｒ５がそれぞれ接続されている。
【０００３】
ところで、電池ＢＴの出力電圧は、一般に電池ＢＴの消耗に伴って電池ＢＴの内部抵抗が上昇することにより徐々に低下する。上述のリモコン送信器１では、図１３（ａ）に示すように電池ＢＴの消耗に伴って電池ＢＴの出力電圧が低下すると、発光部１３に印加される電圧も低下する。これにより、発光部１３に流れる電流が図１３（ｂ）に示すように時間の経過とともに低下する。言い換えれば、電池ＢＴの寿命末期以外（特に電池ＢＴの使用初期）においては、通信用ＬＥＤ１２を点灯させるために必要な最低限の電流（図１３（ｂ）のｔｈ）よりも図１３（ｂ）の斜線部の分だけ余計に大きい電流が発光部１３に流れることにより消費電力が大きくなり、電池ＢＴの消耗を早めている。
【０００４】
一方、電池ＢＴに並列に接続された補助用コンデンサを設けることにより、電池ＢＴの内部抵抗が上昇して電池ＢＴから発光部１３に流れる電流が低下しても、補助用コンデンサから発光部１３に電流を流すことによって通信用ＬＥＤ１２を点灯させるために必要な電流を発光部１３に流すことができるようにした構成が考えられている。ただし、この構成では、補助用コンデンサにおいて誘電体を通して両電極間に流れる漏れ電流により電力を消費し、電池ＢＴの消耗が早まることがある。特に、大容量の補助用コンデンサを用いた場合には漏れ電流が大きく、電池ＢＴの消耗が早まって電池寿命が短くなることとなる。
【０００５】
これに対して、通信用ＬＥＤ１２を点灯させる際にトランジスタＴｒ１に一定値のベース電流を流すことにより発光部１３に定電流が流れるように、電池ＢＴの出力電圧を入力として定電圧を出力するレギュレータを設け、レギュレータの出力電圧を電源として制御部１９を動作させ、制御部１９から一定値のベース電流をトランジスタＴｒ１に流すことが考えられている（たとえば特許文献１参照）。
【特許文献１】特開平５−２８４０４８号公報（第２頁）
【発明の開示】
【発明が解決しようとする課題】
【０００６】
ところで、特許文献１に記載の発明では、制御部１９からトランジスタＴｒ１に与えられるベース電流を略一定値にできるものの、このベース電流の値は制御部１９の仕様によって決まることとなる。そのため、ベース電流を最適な値に設定することができず、通信用ＬＥＤ１２を点灯させるために必要な最低限の電流よりも大きな電流が発光部１３に流れることにより消費電力が大きくなり、電池ＢＴの消耗が早まって電池寿命が短くなるという問題がある。
【０００７】
本発明は上記事由に鑑みて為されたものであって、従来構成に比べて電池寿命を延ばすことができるリモコン送信器を提供することを目的とする。
【課題を解決するための手段】
【０００８】
請求項１の発明では、電池の出力電圧を電源として点滅することにより光を伝送媒体とするリモコン信号を送信する通信用発光ダイオードと、通信用発光ダイオードを点滅させるタイミングを制御する制御信号を出力することにより通信用発光ダイオードから前記リモコン信号を送信させる集積回路からなる制御部と、電池の出力端間においてコレクタ−エミッタが通信用発光ダイオードと直列に接続されたトランジスタと、電池の出力電圧を入力として定電圧を出力し制御部に電力供給するレギュレータと、制御部からの制御信号に応じてトランジスタに流すベース電流をオンオフすることにより通信用発光ダイオードを点滅させる駆動回路とを備え、駆動回路は、制御部からの制御信号を受けてオンオフするスイッチング素子と、レギュレータの出力端間にスイッチング素子と共に直列に接続された一対の分圧抵抗とを有し、スイッチング素子のオン時にはトランジスタに一定値のベース電流を流すことにより通信用発光ダイオードに定電流を流すように、一対の分圧抵抗の接続点がトランジスタのベースに接続されていることを特徴とする。
【０００９】
この構成によれば、レギュレータの出力端間にスイッチング素子と共に直列に接続された一対の分圧抵抗を有し、一対の分圧抵抗の接続点がトランジスタのベースに接続されているので、トランジスタのベース電圧は、スイッチング素子のオン時にはレギュレータの出力電圧を分圧抵抗で分圧した一定電圧となる。その結果、トランジスタのベース電流は一定値となり通信用発光ダイオードに定電流が流れる。しかも、トランジスタのベース電流の値は分圧抵抗の抵抗値によって決まるから、分圧抵抗の抵抗値を調節することによりベース電流を最適な値に設定することができ、通信用発光ダイオードを点灯させるために必要な最低限の電流を通信用発光ダイオードに流すことによって消費電力を小さく抑えることができ、従来構成に比べて電池寿命を延ばすことができる。また、分圧抵抗に流れる電流よりもトランジスタのベース電流が十分に小さくなるように分圧抵抗の抵抗値を低く設定しておけば、ベース電流が流れた際に分圧抵抗を流れる電流はほとんど変化せず、トランジスタのベース電圧の変動が抑制されることによりベース電流がより安定する。
【００１０】
請求項２の発明は、請求項１の発明において、前記レギュレータの出力端間に接続されレギュレータの出力電圧を平滑する平滑用コンデンサを備えることを特徴とする。
【００１１】
この構成によれば、レギュレータの出力電圧が平滑用コンデンサで平滑されるので、レギュレータの出力電圧を分圧したトランジスタのベース電圧はより安定する。したがって、トランジスタのベース電流の値がより安定し、通信用発光ダイオードに定電流を確実に流すことができる。
【００１２】
請求項３の発明では、電池の出力電圧を電源として点滅することにより光を伝送媒体とするリモコン信号を送信する通信用発光ダイオードと、通信用発光ダイオードを点滅させるタイミングを制御する制御信号を出力することにより通信用発光ダイオードから前記リモコン信号を送信させる集積回路からなる制御部と、電池の出力端間において通信用発光ダイオードと直列に接続され、制御部からの制御信号に応じてオンオフする第１のスイッチ要素と、電池と共に通信用発光ダイオードに電力供給する補助用コンデンサと、電池の出力端間において補助用コンデンサと直列に接続され、補助用コンデンサの充電期間および通信用発光ダイオードでの前記リモコン信号の送信期間以外はオフとなる第２のスイッチ要素とを備えることを特徴とする。
【００１３】
この構成によれば、電池と共に通信用発光ダイオードに電力供給する補助用コンデンサを設けたことにより、電池の内部抵抗が上昇して電池から通信用発光ダイオードに流れる電流が低下しても、補助用コンデンサから通信用発光ダイオードに電流を流すことによって通信用発光ダイオードを点灯させるために必要な電流を通信用発光ダイオードに対して流すことができ、従来構成に比べて電池寿命を延ばすことができる。しかも、電池の出力端間において補助用コンデンサと直列に接続され、補助用コンデンサの充電期間および通信用発光ダイオードでの前記リモコン信号の送信期間以外はオフとなる第２のスイッチ要素を設けたことにより、補助用コンデンサにおける漏れ電流の発生が防止されるので、漏れ電流による電力消費が抑制され、電池寿命を延ばすことができる。
【００１４】
請求項４の発明は、請求項３の発明において、前記電池の出力電圧を入力として定電圧を出力し前記制御部に電力供給するレギュレータと、レギュレータの出力端間において前記第２のスイッチ要素と直列に接続され、第２のスイッチ要素のオン時にレギュレータの出力電圧を平滑する平滑用コンデンサとを備えることを特徴とする。
【００１５】
この構成によれば、制御部の電源をレギュレータの出力電圧とし、しかもレギュレータの出力電圧を平滑用コンデンサで平滑しているので、制御部の電源電圧が安定する。また、第２のスイッチ要素により、平滑用コンデンサにおける漏れ電流の発生も防止されるので、漏れ電流による電力消費が抑制され、電池寿命を延ばすことができる。さらに、第２のスイッチ要素を平滑用コンデンサと補助用コンデンサとで共用するので、第２のスイッチ要素を２個設ける場合に比べて回路構成を簡単にできるという利点がある。
【発明の効果】
【００１６】
本発明は、トランジスタのベース電圧が、スイッチング素子のオン時にはレギュレータの出力電圧を分圧抵抗で分圧した一定電圧となるので、トランジスタのベース電流は一定値となり、通信用発光ダイオードには定電流が流れる。しかも、分圧抵抗の抵抗値を調節することによりベース電流を最適な値に設定することができるので、通信用発光ダイオードを点灯させるために必要な最低限の電流を通信用発光ダイオードに流すことによって消費電力を小さく抑えることができ、従来構成に比べて電池寿命を延ばすことができるという利点がある。
【発明を実施するための最良の形態】
【００１７】
（実施形態１）
本実施形態のリモコン送信器１は、図１に示すように人体から放射される熱線の変化量を検出して検知エリア内の人体の存在を検知する熱線式の人感センサＳａと、明るさを検出するフォトＩＣからなる明るさセンサＳｂとを有したセンサ装置２を備え、センサ装置２の出力に応じて赤外線を伝送媒体とするリモコン信号を送信するものである。このリモコン送信器１は、図２に示すように住戸等の壁Ｗに固定された状態で使用され、離れた位置に配置されたリモコン受信器３に対してリモコン信号を送信する。図２の例では、リモコン受信器３はリモコン送信器１と同一の壁Ｗに固定されているが、リモコン送信器１からのリモコン信号を受信可能な範囲内であれば、リモコン送信器１と別の壁Ｗに固定されていてもよい。
【００１８】
リモコン受信器３は、照明負荷（図示せず）と商用電源（図示せず）との間に接続された接点（図示せず）を備え、リモコン送信器１からのリモコン信号に従って接点をオンオフすることにより照明負荷への通電をオンオフする。図２の例では、リモコン受信器３の前面においてリモコン信号を受信する受光部４の下方に操作ハンドル５が設けられており、この操作ハンドル５の操作によっても照明負荷への通電をオンオフすることができる。
【００１９】
すなわち、センサ装置が付加されセンサ装置の出力に従って照明負荷への通電をオンオフ可能としたスイッチ装置（図示せず）が従来から提供されているが、図２のリモコン受信器２はこのスイッチ装置からセンサ装置を分離したものに相当し、リモコン送信器１は分離されたセンサ装置に相当する。ここに、リモコン送信器１は電池ＢＴ（図１参照）を電源としており、リモコン送信器１の取付位置は比較的自由に設定できるので、リモコン送信器１の取付位置によってセンサ装置２の検知エリアを自由に設定することができ、また、図２の例のように複数台のリモコン送信器１を用いることにより、検知エリアを拡大することもできる。
【００２０】
リモコン送信器１は、人感センサＳａで人体を検知すると、そのときの明るさセンサＳｂの出力（「明」または「暗」）を含む送信コードを前記リモコン信号によってリモコン受信器３に伝達する。リモコン信号を受信したリモコン受信器３は、送信コードにおける明るさセンサＳｂの出力が「暗」であれば、照明負荷への通電をオンする。ここで、リモコン送信器１には、照明負荷の動作保持時間、つまりリモコン受信器３が接点をオンに保持する時間を設定可能な動作保持時間設定部６（図１参照）が設けられており、動作保持時間は送信コードに含まれてリモコン受信器３に伝達される。また、リモコン送信器１には、明るさセンサＳｂの出力を切り替える明るさの閾値を設定可能な明るさセンサ設定部７（図１参照）が設けられている。
【００２１】
本実施形態のリモコン送信器１は、図３に示すように、背面開口の箱状のカバー８と、カバー８の背面に取着されるボディ９とで構成される器体１０内に、センサ装置２や動作保持時間設定部６や明るさセンサ設定部７が前面に実装された実装基板１１を収納している。実装基板１１の前面におけるセンサ装置２の上方には、リモコン信号を送信する通信用発光ダイオード（ＬＥＤ）１２を有した発光部１３が実装され、カバー８において発光部１３に対応する位置には、通信用ＬＥＤ１２を器体１０の前面から前方に突出させる窓孔１４が貫設されている。
【００２２】
通信用ＬＥＤ１２は複数個設けられ、それぞれが別の向きに向けられることによりリモコン信号の送信範囲を比較的広く確保している。カバー８の前面には、窓孔１４を通して突出した通信用ＬＥＤ１２を包囲する発光窓１５が着脱可能に取り付けられる。発光窓１５は、赤外線に対して透光性を有し、可変抵抗器からなる動作保持時間設定部６および明るさセンサ設定部７のつまみを覆う形で取り付けられる。なお、カバー８の前面において発光窓１５が取り付けられる部位の下方には、センサ装置２用のレンズ１６が形成されている。
【００２３】
電池ＢＴは、器体１０に装着された状態で実装基板１１に接続された端子部１７に電気的に接続される。器体１０の背面側には電池カバー１８が着脱自在に取り付けられ、電池カバー１８が器体１０に取り付けられた状態で電池ＢＴは器体１０と電池カバー１８との間に収納される。ここで、リモコン送信器１は、電池カバー１８の背面を壁面に対向させる形で電池カバー８を壁Ｗに固定することにより設置され、設置後も、器体１０を電池カバー８から取り外すことにより電池交換等が可能になる。
【００２４】
以下に、本実施形態のリモコン送信器１の回路構成について図１を参照して説明する。
【００２５】
リモコン送信器１は、集積回路（ここではマイクロコンピュータ）からなり通信用ＬＥＤ１２を点滅させるタイミングを制御する制御信号Ｖｃを出力する制御部１９を備えている。制御部１９は、制御信号Ｖｃに応じて通信用ＬＥＤ１２を点滅させることにより通信用ＬＥＤから前記リモコン信号を送信させる。制御部１９には、上述した人感センサＳａおよび明るさセンサＳｂからなるセンサ装置２と、動作保持時間設定部６と明るさセンサ設定部７とが接続されており、制御部１９はセンサ装置２の出力に応じて制御信号Ｖｃを生成する。なお、以下の説明で参照する図面では、人感センサＳａ、明るさセンサＳｂ、動作保持時間設定部６、明るさセンサ設定部７の図示を省略する。
【００２６】
ここで、通信用ＬＥＤ１２が電池ＢＴの出力電圧を電源として点滅することによりリモコン信号を送信するように、電池ＢＴの出力端間においてコレクタ−エミッタが発光部１３と直列に接続されたｎｐｎ型のトランジスタＴｒ１と、制御部１９からの制御信号Ｖｃに応じてトランジスタＴｒ１に流すベース電流をオンオフすることにより通信用ＬＥＤ１２を点滅させる駆動回路２０とが設けられている。ここでは電池ＢＴは単４形電池が２本直列に接続されている。通信用ＬＥＤ１２は、アノードが電池ＢＴの正極に接続され、カソードがトランジスタＴｒ１のコレクタに接続されるように複数個（図１では３個）並列に接続されている。トランジスタＴｒ１のエミッタは抵抗Ｒ１を介して電池ＢＴの負極に接続されている。トランジスタＴｒ１はベース電流の大きさに略比例したコレクタ電流が流れる能動領域で使用されており、ベース電流を一定値とすれば発光部１３に定電流が流れることになる。
【００２７】
さらに本実施形態のリモコン送信器１は、電池ＢＴの出力端間に入力端子Ｔｉ−グランド端子Ｔｇが接続されることにより電池ＢＴの出力電圧を入力として定電圧（ここでは２Ｖ）を出力するレギュレータ２１（３端子レギュレータ）と、レギュレータ２１の出力端間（出力端子Ｔｏ−グランド端子Ｔｇ）に接続されレギュレータ２１の出力電圧を平滑する大容量（たとえば１００μＦ）の平滑用コンデンサＣ１とを備えている。レギュレータ２１の出力端間には制御部１９が接続され、制御部１９はレギュレータ２１の出力電圧を電源として動作する。つまり、電池ＢＴの出力電圧は、一般に電池ＢＴの消耗に伴って電池ＢＴの内部抵抗が上昇することにより徐々に低下する（ここでは３．２Ｖ〜２Ｖの範囲で変化する）が、制御部１９には定電圧が常に印加されることとなる。
【００２８】
ところで、上述の駆動回路２０は、制御部１９からの制御信号Ｖｃを受けてオンオフするスイッチング素子Ｑ１と、レギュレータ２１の出力端間にスイッチング素子Ｑ１と共に直列に接続された一対の分圧抵抗Ｒ２，Ｒ３とを有し、一対の分圧抵抗Ｒ２，Ｒ３の接続点がトランジスタＴｒ１のベースに接続されている。スイッチング素子Ｑ１は、エミッタがレギュレータ２１の出力端子Ｔｏに接続され、コレクタが分圧抵抗Ｒ２に接続されたｐｎｐ型のトランジスタからなり、ベースに制御部１９からの制御信号Ｖｃが入力されることによりオンオフする。なお、このスイッチング素子Ｑ１は飽和領域で使用されており、制御信号Ｖｃの大きさが多少変動しても分圧抵抗Ｒ２を流れるコレクタ電流の大きさは変動しない。
【００２９】
この構成によれば、トランジスタＴｒ１のベース電圧はスイッチング素子Ｑ１のオン時にはレギュレータ２１の出力電圧を分圧抵抗Ｒ２，Ｒ３で分圧した一定電圧となる。そのため、スイッチング素子Ｑ１のオン時にはトランジスタＴｒに一定値のベース電流を流すことができ、これにより発光部１３の通信用ＬＥＤ１２に定電流を流すことができる。しかも、トランジスタＴｒ１のベース電流の値は分圧抵抗Ｒ２，Ｒ３の抵抗値によって決まるから、分圧抵抗Ｒ２，Ｒ３の抵抗値を調節することによりベース電流を最適な値に設定することができ、通信用ＬＥＤ１２を点灯させるために必要な最低限の電流を発光部１３に流すことによって消費電力を小さく抑えることができ、電池寿命を比較的延ばすことができる。
【００３０】
また、本実施形態では、分圧抵抗Ｒ３に流れる電流よりもトランジスタＴｒのベース電流が十分に小さくなるように分圧抵抗Ｒ２，Ｒ３の各抵抗値を低抵抗に設定してある。これにより、ベース電流が流れた際に分圧抵抗Ｒ３を流れる電流はほとんど変化せず、トランジスタＴｒ１のベース電圧の変動が抑制されることによりベース電流がより安定する。たとえば、発光部１３の通信用ＬＥＤ１２に合計８００ｍＡの電流を流すためにトランジスタＴｒ１のベース電流を１０ｍＡに設定する場合には、分圧抵抗Ｒ２，Ｒ３の各抵抗値を１００Ωに設定することによって、分圧抵抗Ｒ３に流れる電流よりもトランジスタＴｒのベース電流が十分に小さくなる。
【００３１】
なお、レギュレータ２１の出力電圧を平滑する平滑用コンデンサＣ１は省略してもよいが、トランジスタＴｒ１にベース電流が流れた際に、レギュレータ２１の出力の一部がトランジスタＴｒ１に引き抜かれるによりレギュレータ２１の出力電圧が変動する可能性があるので、レギュレータ２１の出力電圧を分圧したトランジスタＴｒ１のベース電圧をより安定させるために、本実施形態のように平滑用コンデンサＣ１を設けることが望ましい。
【００３２】
（実施形態２）
本実施形態のリモコン送信器１は、駆動回路２０を省略し制御部１９からの制御信号ＶｃでトランジスタＴｒ１を直接オンオフさせるようにした点が実施形態１のリモコン送信器１と相違する。ここにおいて、トランジスタＴｒ１は第１のスイッチ要素として飽和領域で使用されており、制御信号Ｖｃの大きさが多少変動してもコレクタ電流の大きさは変動しない。また、本実施形態では、実施形態１のレギュレータ２１および平滑用コンデンサＣ１を省略し、電池ＢＴの出力電圧を制御部１９の電源として用いている。
【００３３】
ところで、図４に示す例では、電池ＢＴの出力端間には大容量（１０００μＦ）の補助用コンデンサＣ２を接続しており、この補助用コンデンサＣ２は、電池ＢＴと共に発光部１３の通信用ＬＥＤ１２に電力供給を行う。すなわち、電池ＢＴのみから発光部１３に電力供給を行う構成では、トランジスタＴｒ１のオン時に発光部１３に流れる電流は、電池ＢＴの消耗に伴って電池ＢＴの内部抵抗が上昇することにより図５（ａ）のように徐々に低下し、通信用ＬＥＤ１２を点灯させるために必要な最低限の電流（図５のｔｈ）以下になると通信用ＬＥＤ１２を点灯させることができない。これに対して、図４の例では、電池ＢＴから発光部１３に流れる電流が低下しても、補助用コンデンサＣ２から発光部１３に電流を流すことによって通信用ＬＥＤ１２を点灯させるために必要な電流を発光部１３に対して流すことができるので、図５（ｂ）のように電池寿命を延ばすことができる。
【００３４】
ただし、図４の構成では、補助用コンデンサＣ２において誘電体を通して両電極間に流れる漏れ電流により電力を消費し、電池ＢＴの消耗が早まることがある。特に、大容量の補助用コンデンサＣ２を用いた場合には漏れ電流が大きく、電池ＢＴの消耗が早まって電池寿命が短くなる。
【００３５】
そこで、本実施形態のリモコン送信器１は、図６に示すように、図４の構成に対して電池ＢＴの出力端間において補助用コンデンサＣ２と直列に接続された第２のスイッチ要素ＳＷを付加してある。このスイッチ要素ＳＷは、補助用コンデンサＣ２と電池ＢＴの負極との間に接続されている。なお、図６では発光部１３の通信用ＬＥＤ１２を１個のみ図示している。また、トランジスタＴｒのエミッタと電池ＢＴの負極との間の抵抗は省略され、通信用ＬＥＤ１２のアノードと電池ＢＴの正極との間に抵抗Ｒ４が挿入されている。
【００３６】
以下に、第２のスイッチ要素ＳＷの動作について図７を参照して説明する。
【００３７】
スイッチ要素ＳＷは、制御部１９によってオンオフ制御されており、通信用ＬＥＤ１２がリモコン信号の送信を開始する直前つまり制御部１９が制御信号Ｖｃの出力を開始する直前に、図７（ａ）のようにオンして補助用コンデンサＣ２を電池ＢＴに接続し補助用コンデンサＣ２の充電を開始する（補助用コンデンサＣ２の充電期間）。また、通信用ＬＥＤ１２でのリモコン信号の送信期間つまり制御部１９が制御信号Ｖｃを出力している期間に、図７（ｂ）のようにオンして補助用コンデンサＣ２から発光部１３への放電経路を形成する。そして、上述した補助用コンデンサＣ２の充電期間およびリモコン信号の送信期間以外の期間は、図７（ｃ）のようにオフして補助用コンデンサＣ２を電池ＢＴおよび発光部１３から切り離す。
【００３８】
この構成によれば、補助用コンデンサＣ２は必要なときにのみ電池ＢＴおよび発光部１３に接続されるので、補助用コンデンサＣ２が電池ＢＴに常時接続され漏れ電流が流れ続ける場合に比べると、漏れ電流による電力消費が抑制され、電池寿命を延ばすことができる。
【００３９】
スイッチ要素ＳＷは、具体的には図８に示すように補助用コンデンサＣ２と電池ＢＴの負極との間に接続された一対のＭＯＳＦＥＴ（電界効果トランジスタ）Ｑ２，Ｑ３で構成される。一対のＭＯＳＦＥＴＱ２，Ｑ３は、互いのソース同士を接続する形で逆直列に接続されている。両ＭＯＳＦＥＴＱ２，Ｑ３の接続点は、ダイオードＤ１を介して電池ＢＴの負極に接続されている。これにより、スイッチ要素ＳＷに対して双方向に電流を流すことができ、補助用コンデンサＣ２の充放電が可能になる。
【００４０】
なお、その他の構成および機能は実施形態１と同様である。
【００４１】
（実施形態３）
本実施形態のリモコン送信器１は、図９に示すように、電池ＢＴの出力端間に入力端子Ｔｉ−グランド端子Ｔｇが接続されることにより電池ＢＴの出力電圧を入力として定電圧（ここでは２Ｖ）を出力するレギュレータ２１（３端子レギュレータ）と、レギュレータ２１の出力電圧を平滑する大容量（１００μＦ）の平滑用コンデンサＣ１とを設け、レギュレータ２１の出力電圧を制御部１９の電源とした点が実施形態２の図６のリモコン送信器１とは相違する。これにより制御部１９の電源電圧が安定して制御部１９の動作が安定する。その他の構成および機能は実施形態２と同様である。
【００４２】
図９の例では平滑用コンデンサＣ１は、一端がレギュレータ２１の出力端子Ｔｏに接続され、他端が補助用コンデンサＣ２と第２のスイッチ要素ＳＷとの接続点に接続されている。つまり、平滑用コンデンサＣ１は、レギュレータ２１の出力端間（出力端子Ｔｏ−グランド端子Ｔｇ）において、スイッチ要素ＳＷと直列に接続されており、スイッチ要素ＳＷのオン時にのみレギュレータ２１の出力電圧を平滑する。したがって、スイッチ要素ＳＷにより、平滑用コンデンサＣ１における漏れ電流の発生も防止されるので、漏れ電流による電力消費が抑制され、電池寿命を延ばすことができる。さらに、スイッチ要素ＳＷを平滑用コンデンサＣ１と補助用コンデンサＣ２とで共用するので、スイッチ要素ＳＷを２個設ける場合に比べて回路構成を簡単にでき低コスト化を図ることができる。
【００４３】
（実施形態４）
本実施形態のリモコン送信器１は、図１０に示すように、複数個の通信用ＬＥＤ１２のそれぞれに減流用抵抗Ｒ５を直列接続した点が実施形態２の図６のリモコン送信器１と相違する。さらに、図１０では、トランジスタＴｒ１のエミッタと電池ＢＴの負極との間にも抵抗Ｒ６が接続されている。その他の構成および機能は実施形態２と同様である。なお、図１０および図１１では、補助用コンデンサＣ２および第２のスイッチ要素ＳＷの図示を省略している。
【００４４】
本実施形態の構成によれば、各通信用ＬＥＤ１２に流れる電流を各減流用抵抗Ｒ５によって個別に制限することができ、通信用ＬＥＤ１２ごとに流れる電流の大きさがばらつくことを防止することができる。すなわち、複数個の通信用ＬＥＤ１２を並列接続している場合には、通信用ＬＥＤ１２ごとのオン電圧のばらつきに起因して通信用ＬＥＤごとに流れる電流にばらつきを生じることがあるが、各減流量抵抗Ｒ５の抵抗値を個別に設定することによって、上記オン電圧のばらつきに起因した電流のばらつきを抑制できるという利点がある。
【００４５】
また、本実施形態の他の例として、図１１に示すように、各通信用ＬＥＤ１２にそれぞれトランジスタＴｒ１を直列接続してもよい。各トランジスタＴｒ１は、電池ＢＴの出力端間においてそれぞれコレクタ−エミッタが各通信用ＬＥＤ１２および各減流用抵抗Ｒ５と直列に接続されている。各トランジスタＴｒ１のベースは一括して制御部１９に接続されている。ここでは、減流用抵抗Ｒ５をトランジスタＴｒ１のエミッタと電池ＢＴの負極との間に接続している。
【００４６】
図１１の構成では、各通信用ＬＥＤ１２に流れる電流を各トランジスタＴｒ１および各減流用抵抗Ｒ５によって個別に制限することができ、通信用ＬＥＤ１２ごとに流れる電流の大きさがばらつくことを確実に防止することができる。
【００４７】
なお、上述した各実施形態では、センサ装置２の出力に応じてリモコン信号を送信し照明負荷を制御するリモコン送信器１を例示したが、本発明は、この種のリモコン送信器１に限らず、電池を電源とし、光を伝送媒体とするリモコン信号を送信するリモコン送信器１に広く適用することができ、たとえば侵入者検知時に報知のためのリモコン信号を送信するワイヤレス発信器などにも適用できる。
【図面の簡単な説明】
【００４８】
【図１】本発明の実施形態１の構成を示す概略回路図である。
【図２】同上のリモコン送信器の設置例を示す概略図である。
【図３】同上のリモコン送信器の分解斜視図である。
【図４】本発明の実施形態２の基本構成を示す概略回路図である。
【図５】同上の動作説明図である。
【図６】同上の構成を示す概略回路図である。
【図７】同上の動作説明図である。
【図８】同上の構成を示す概略回路図である。
【図９】本発明の実施形態３の構成を示す概略回路図である。
【図１０】本発明の実施形態４の構成を示す概略回路図である。
【図１１】同上の他の構成を示す概略回路図である。
【図１２】従来例を示す概略回路図である。
【図１３】同上の動作説明図である。
【符号の説明】
【００４９】
１  リモコン送信器
１２  通信用ＬＥＤ（通信用発光ダイオード）
１９  制御部
２０  駆動回路
２１  レギュレータ
ＢＴ  電池
Ｃ１  平滑用コンデンサ
Ｃ２  補助用コンデンサ
Ｑ１  スイッチング素子
Ｒ２，Ｒ３  分圧抵抗
ＳＷ  （第２の）スイッチ要素
Ｔｒ１  トランジスタ
Ｖｃ  制御信号
【図１】
2008109515.tif 000003
【図２】
2008109515.tif 000004
【図３】
2008109515.tif 000005
【図４】
2008109515.tif 000006
【図５】
2008109515.tif 000007
【図６】
2008109515.tif 000008
【図７】
2008109515.tif 000009
【図８】
2008109515.tif 000010
【図９】
2008109515.tif 000011
【図１０】
2008109515.tif 000012
【図１１】
2008109515.tif 000013
【図１２】
2008109515.tif 000014
【図１３】
2008109515.tif 000015